(57)【要約】【課題】  従来の義歯洗浄機は、水道水を利用するもの、超音波を利用するものなどが提案されているが、洗浄の結果、洗浄効果の一層の改良、小型化、取り扱いの簡便性などの要求がある。洗浄、殺菌、消毒を行う液を一液にすることで、操作を簡単に、機械を小型にする。【解決手段】  義歯洗浄の効果を上げるのと。洗浄、殺菌、消毒を行う液を一液にすることで、操作を簡単に、機械を小型にする。１液で洗浄を行うこと義歯を入れる洗浄カゴの回転中心ノズルから水道水を外周に向けて噴射するノズルと外周から洗浄カゴの内部に向けたノズルから洗浄カゴの中に向けて水道水を発射することと、この水道水の水路を従来のポールでなく洗浄室の壁から噴射するようにしたことで洗浄カゴを回転させながら義歯を洗浄すると小型化が可能になった。【選択図】図１
2010017230.tif 000002
【特許請求の範囲】
【請求項１】
義歯を洗浄するためにアミ籠に搭載し、洗浄、殺菌、消臭液を噴射するノズルを義歯洗浄室の中心に向けて吐出する小穴を多数設け、該アミ籠を回転自在に載置し、該アミ籠に向けて、該アミ籠が回転開始するような水道圧力が加わるよう電磁バルブで供給、停止を行うため水道水を吐出し、義歯洗浄室の中心に水道水を中心から外周に向けて吐出する水道水管を設けた義歯洗浄機において、この水道水の供給、停止を行うための電磁バルブから送られる水道水の水路と、洗浄、殺菌、消臭液を供給する水路を形成するのに洗浄室内壁管、洗浄室外壁管とＯリングとで形成したことを特徴とする義歯洗浄機。
【発明の詳細な説明】
【技術分野】
【０００１】
本発明は、介護施設において複数の老人の義歯を短時間でかつ感染の心配もなく洗浄し、ヘルパーの負担軽減を目的にして、水道水の力を利用して、義歯洗浄し保管を行う機械に関する。
【背景技術】
【０００２】
義歯の洗浄を介護施設で行う場合に、介護担当者が行う作業は、過酷なものになっている。
つまり義歯洗浄のときに、介護される人の義歯を歯ブラシでかつ歯磨き剤も個人毎に区別して洗浄しなければならないという、介護ヘルパー行う義歯洗浄を、簡単にかつ手を汚さないでできる簡便な機械が望まれている。
【０００３】
下記特許文献１などは、義歯の洗浄を超音波装置で大量に洗浄してしまおうというものを提案されているが、遺憾ながら洗浄する義歯は、樹脂のみでできており、超音波振動を減衰させてしまうので、歯の汚れが落ちない。つまり眼鏡などは、眼鏡に使用されている金属が超音波振動で激しく振動することで、振動がプラスチック部に伝わって、比較的簡単に洗浄できるのとは違い、先に説明したように水の振動と同じように義歯が振動するので義歯に振動が入らないで、なかなか思ったように義歯の汚れが落ちない。つまり義歯についた汚れを落とし得るのは、金属が組み込まれた義歯以外は、難しいことになる。
【０００４】
特許文献２に開示されている水道水の利用で洗浄を行うのに、水道水が義歯にあたってから排水溝に流れるのを利用して水車で回転を行う仕組むですが、水車に義歯の汚れが付着するなど洗浄槽の衛生に問題のある技術である。洗浄槽は、全て清潔に保てるような配慮が必要である。
【０００５】
しかも外側からだけ水道水をあてるような洗浄を行うとあるが、義歯の形状が複雑なので思ったように義歯に水道水があたらない場所が沢山ある。そのために義歯の汚れがおちない。そこで今回の提案は、洗浄する義歯を中央から外に向けて発射するノズルとカゴの外から中に向けて発射するノズルを載置することで複雑な形状の義歯の洗浄をスムーズに行うことにする。
【０００６】
従来は排水を利用してカゴを回転させるので、洗浄用水道水のノズルの回転の効果も遅れてくる。これを最初から回転の効果が出るように水道水の洗浄用ノズルからの発射角度を旨くコントロールすることで最初からカゴに入った義歯を回転させながら洗浄するようにした。
【０００７】
【特許文献１】特開２００３−１３５４９２
【特許文献２】特開２００３−２３０５７５
【発明の開示】
【発明が解決しようとする課題】
【０００８】
現在、介護施設は、全国で５０００を超えるほどあると言われている。夕食が終わると、食堂の脇または隣接する洗い場に入居者が集まる。入居者のうち自分で義歯をブラシで洗浄できる１部の人を除き、大半の人は、ヘルパーによって義歯を洗浄してもらう。このように義歯を洗浄してもらう人は、義歯を外して水を張った個人のコップに義歯を入れヘルパーに渡して歯ブラシで磨いてもらう。今後本発明は、多数の義歯を洗浄作業する介護作業の負担を軽くするのに役立つ機械を作成する。
【０００９】
義歯の洗浄は、まず食べ滓を落とすために簡単な水洗いをし、次に各人の専用歯ブラシに各人専用の歯磨き剤をつけて義歯を磨く。磨き終わると、各人専用のコップに義歯、水及び殺菌、水及び殺菌剤を入れて、翌朝まで保管する。
【００１０】
夕食後の時間帯は、ヘルパーが忙しいため、ヘルパーが義歯のブラシ磨きにかける時間は、総義歯の場合、上顎、下顎それぞれ１分以上あり、また、６人分の義歯を磨くのに１５分以上を要し、さらに水洗等を加えると３０分を超える。しかも各人のブラシ、歯磨剤の区別をしっかりさせて作業するのは、非常に負担が大きい。つまり各人の歯磨剤を共通にするなどの手抜き作業を許さないなど負担が大きい。
【００１１】
しかしこれくらいの時間をかけてブラシ磨きをしても、義歯に歯垢染出し剤を塗り、その後水洗を行うと、歯と歯の間、義歯の裏側を中心に義歯全体に染出し剤が残り、歯垢が残っているのがわかる。短時間のブラシ磨きでは、不十分である。しかも毎日欠かさず義歯の洗浄を行うことが基本的に義歯を清潔に保つ必要条件ある。
【００１２】
もし手抜きの義歯洗浄が続くと、歯垢の大半はバクテリアであるため、身体弱者で要介護の高齢者が歯垢の残った義歯を装着していると、口臭だけでなく義歯性口内炎、嚥下性肺炎、腸管内感染などの全身的疾患になるなどの危険がある。
【課題を解決するための手段】
【００１３】
確実に歯垢を落とし、夜の就寝の時間の間、完全に消臭・殺菌・保存を行うことができる簡便な機械を提供する。この機械は、義歯をアミかごに入れて、機械の所定の場所にセットする。義歯洗浄を行うのに次亜塩素酸水を入れたボトルからポンプなどで該次亜塩素酸水を噴霧して、殺菌、洗浄、消臭を行う。次に水道水の電磁バルブを開いて、水道から噴射する水道水の力で義歯を入れたアミかごを回転させながら、義歯の汚れと先に義歯にかけた洗浄液を同時に流して洗浄する。
【００１４】
義歯を水道水で洗浄した後に最終工程でもう一度次亜塩素酸水をポンプで噴霧して、殺菌、洗浄消毒、消臭を行う。この一連の洗浄作業を行う。洗浄終了後、義歯の所有者の名前が書いてある保管用のコップの中に入れて保管する。または、洗浄後直ぐに使用しても清潔、爽快になる。
【００１５】
義歯洗浄機を小型化し、扱いやすい物に仕上げることが早急の課題になっている。
【発明の効果】
【００１６】
この機械を使用して、老人の介護を行えば人数が、沢山でも簡易に看護作業ができるので介護の負担が少なくなる。
【００１７】
介護される人もいつも清潔な義歯で食べられる。かつ消臭、消毒、保管液で保管するので感染などが起きないので快適に要介護者の介護ができる効果がある。
【発明を実施するための最良の形態】
【００１８】
図１は、義歯洗浄機正面図を表している。１はフロントケースで１ａの穴部から次亜塩素酸水の量を観察できるようになっている。２の化粧パネルに２ａのスイッチがあり、該次亜塩素酸水をポンプなどで供給し水道水での洗浄を行う電磁バルブの作動を行う一連の動作を行うためのトリガースイッチである。つまり次亜塩素酸水をポンプで行うのにポンプの作動する時間を制御し、次に水道水を制御する電磁弁の作動時間をコントロールする回路を制御する。
【００１９】
図２は、義歯洗浄機上面図であり２の化粧パネルと５の蓋と９の透明蓋がある。５の蓋は蝶番６で開閉自在に固定されている。５の蓋の下には、次亜塩素酸水がボトル１１に入れてある。次亜塩素酸水がなくなると補充作業を行うために５の蓋をあけてボトル１１に次亜塩素酸水を設置する。
【００２０】
義歯洗浄を行うときに９の洗浄室の蓋を９ａのノブを引き９ｂのフタ支点を回転中心に回転させて開けると洗浄室８０の内部にアミ籠７０を入れることができる。該アミ籠７０に義歯９０を入れて洗浄室８０に入れる。この洗浄室８０の内部で一連の洗浄を行うことができる。
【００２１】
図４は義歯洗浄機背面斜視図で７が水道水の管で洗浄するための水道水を供給するように接続する。８が排水管であり、洗浄で使用した廃液を排水する。４が取手で義歯洗浄機の持ち運びに使用する。
【００２２】
図５は義歯洗浄機背面斜視図で２の化粧パネル、９の洗浄室フタ、５の蓋などを剥離した状態で中が見える状態をしめしている。図６は、断面図で洗浄室を中心から断面にしているので７の水道水導管から流れる水道水が常には、１２の電磁バルブで遮蔽されていて、洗浄するとき電磁バルブが開いて水道水が流れる。１０の中継パイプを通って１９の第一水管に水道水が供給される。
【００２３】
この水道水は、２０のセンター管に供給されて小さな穴２０ａが沢山あけられていて中心から外周に向けて水道水を噴射する。この水道水の力で義歯についた食べカスや歯垢、殺菌された微生物などを吹き飛ばす。こうすることで義歯を綺麗にすることができる。
【００２４】
図６のポンプ１６と電磁バルブ１５の配置を示している。ポンプ１６は、洗浄液を１１のボトルから次亜塩素酸水を１１ａのチューブからくみ上げて１１ｂのチューブで洗浄室８０に送る。電磁バルブ１５は、水道水を制御している。これらの電気部品をコントロールする回路は、９０の回路ボックス内に設置したコントロール回路で行う。
【００２５】
図７は、洗浄室８０を形成する２３の洗浄室内壁管、２２の洗浄室外壁管、２４の底板、８の排水管で構成されたものを示す。ここで水道水を供給する１９の第一水管は、図６に表示し図７では、表示しないで説明する。次亜塩素酸水は２１のパイプから洗浄室内壁管と洗浄室外壁管で作る水路１００に流れ込むようにする。
【００２６】
図８は、洗浄室の断面図で本特許の重要な部分である。２１のパイプから入った次亜塩素酸水は８０の洗浄室に２１ａの水路、この水路は、２２の洗浄室外壁管と２３の洗浄室内壁管とで形成されたものであり、３０と３１のオーリングで水路２１ａは、仕切られている。この水路２１ａを通った次亜塩素酸水は、２１ｂの小穴から噴射して洗浄する義歯に次亜塩素酸水をかける。この次亜塩素酸水は、殺菌、消毒、消臭を同時に行うことができる。
図９は、８０の洗浄室を上から見た画で、義歯を入れたアミ籠７０を投入して洗浄する。
【００２７】
図６の断面図にもどり洗浄の仕組みを詳しく説明する。３３は、ボールベアリングで３２の回転台に固定されて一体的に回る。３２の回転台には、３４のシャフトが２本立っていてアミ籠７０がセットされるとこの３４のシャフトで保持する。そうすることでアミ籠７０を回転台３２とボールベアリング３３を回転中心に据えて回転自在にする。
【００２８】
図６でボールベアリングを使用しているが、水道水を利用しているのでこの軸受け部分に２０のセンター管から小穴を設けて軸受け部に回転部に水道水を噴射して軸受けを浮かすことで回転軸受けとしての機能を持たせることもできる。
【００２９】
洗浄室８０内で回転するアミ籠が回転力を得るのは、水道水が洗浄室８０を形成する２３の洗浄室内壁管、２２の洗浄室外壁管から作られる水道水の水路１００、この水路は、図１０の洗浄室内壁管に１００の水路を掘り込む、１００ａと１００ｂの縦の切り込みを入れて水路を形成する。この縦の水路に図１１は、洗浄室内壁管１００の断面図の１００ｃ、１００ｄの小穴を通して水道水を斜めに吐出させてことで、アミ籠７０に回転力を与えることができる。
【００３０】
この水路１００の形成は、小型化に非常に有効な方法で水道水の水路を洗浄室の薄い管の壁の中に形成することで、洗浄室を小さくできる。つまり本義歯洗浄機を小さくすることが可能になる最大の発明である。
【００３１】
図１２は、同じく２３の洗浄室内壁管の断面図で先に説明した２１のパイプから入った次亜塩素酸水は８０の洗浄室に２１ａの水管から入る２１の水路と２１ｂの小穴の部分であり、円周上に２３の洗浄室内壁管の中心に向かって次亜塩素酸水を吐出できるように配置してある。
【００３２】
このように加工した２３の洗浄室内壁管は、図８に示すように３０、３１，３２のＯリングで水道水と次亜塩素酸水の通る水路をそれぞれ確保して、両方の液をコントロールすることができるようにするために２２の洗浄室外壁管をかぶせて、水路１００を形成する。
【００３３】
図１０の洗浄室内壁管に形成した水路１００は、分岐して１００ａ、１００ｂ、１００ｃの水路を形成していて、この分岐した水路から小穴を通して、水道水を吐出して、アミ籠７０に入った義歯９０を回転させ洗浄する。
【００３４】
図１４は、義歯を入れるコップの上面図で３６がコップ用の蓋でコップ３５にかぶせて義歯を洗浄後に綺麗な状態を保つために使用する。図１５は、義歯１１０がコップ３５に入った状態の断面図でコップ３５の中に図のように入れられて保管され、夜寝るときなどには、この状態で保管されて衛生的に保存する。
【図面の簡単な説明】
【００３５】
【図１】義歯洗浄機正面図
【図２】義歯洗浄機上面図
【図３】義歯洗浄機背面図
【図４】義歯洗浄機正面斜視図
【図５】義歯洗浄機背面斜視図
【図６】義歯洗浄機断面図
【図７】洗浄室平面図
【図８】洗浄室断面図
【図９】洗浄室上面図
【図１０】洗浄室内壁管正面図
【図１１】洗浄室内壁管Ａ断面図図
【図１２】洗浄室内壁管Ｂ断面図
【図１３】洗浄室内壁管斜視図
【図１４】義歯用コップ上面図
【図１５】義歯用コップ断面図（義歯＋アミ籠）
【図１６】義歯洗浄機斜視図
【符号の説明】
【００３６】
１：フロントパネル
２：化粧パネル
３：ゴム脚 
４：取手
５：蓋 
６：蝶番
７：水道水導管
８：排水管
９：洗浄室用蓋
１０：中継パイプ
１２：電磁バルブ
１７：ポンプ
２０：センター管 
３２：回転台
３３：樹脂製のボールベアリング
７０：アミ籠
９０：義歯
【図１】
2010017230.tif 000003
【図２】
2010017230.tif 000004
【図３】
2010017230.tif 000005
【図４】
2010017230.tif 000006
【図５】
2010017230.tif 000007
【図６】
2010017230.tif 000008
【図７】
2010017230.tif 000009
【図８】
2010017230.tif 000010
【図９】
2010017230.tif 000011
【図１０】
2010017230.tif 000012
【図１１】
2010017230.tif 000013
【図１２】
2010017230.tif 000014
【図１３】
2010017230.tif 000015
【図１４】
2010017230.tif 000016
【図１５】
2010017230.tif 000017
【図１６】
2010017230.tif 000018